【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、
前記第１のビットレート値に基づいて、第１のターゲットサブ状態または第２のターゲットサブ状態のうちの１つを選択することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、
前記第１のターゲットサブ状態または前記第２のターゲットサブ状態のうちの前記選択された１つで機能することと、
を備える無線通信の方法。
【請求項２】
前記イニシエータＮＦＣデバイスにパラメータ選択応答を送信することをさらに備える請求項１に記載の方法。
【請求項３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項１に記載の方法。
【請求項４】
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられる請求項１に記載の方法。
【請求項５】
前記第１のビットレート値は、イニシエータ送信データレート（ＤＳＩ）値であり、前記第２のビットレート値は、イニシエータ受信データレート（ＤＲＩ）値である請求項１に記載の方法。
【請求項６】
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断することと、
ここにおいて、前記イニシエータＮＦＣデバイスの前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
パラメータ選択要求メッセージにて前記ターゲットＮＦＣデバイスに、前記第１のビットレート値および前記第２のビットレート値を送信することと、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信することと、
を備える無線通信の方法。
【請求項７】
前記パラメータ選択要求メッセージの成功した受信を示すパラメータ選択応答を前記ターゲットＮＦＣデバイスから受信すること、
をさらに備える請求項６に記載の方法。
【請求項８】
前記第１のビットレート値として前記イニシエータＮＦＣデバイスから前記ターゲットＮＦＣデバイスへの送信のための現在のビットレートを示す第１の出力パラメータを生成し、前記第２のビットレート値として前記ターゲットＮＦＣデバイスから前記イニシエータＮＦＣデバイスへの送信のための現在のビットレートを示す第２の出力パラメータを生成することと、
リソリューションプロセスにおける使用のために前記第１および第２の出力パラメータを提供することと、
をさらに備える請求項６に記載の方法。
【請求項９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項６に記載の方法。
【請求項１０】
前記第１のビットレート値は、イニシエータ送信データレート（ＤＳＩ）値であり、前記第２のビットレート値は、イニシエータ受信データレート（ＤＲＩ）値である請求項６に記載の方法。
【請求項１１】
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、
前記第１のビットレート値に基づいて、第１のターゲットサブ状態または第２のターゲットサブ状態のうちの１つを選択することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、
前記第１のターゲットサブ状態または前記第２のターゲットサブ状態のうちの前記選択された１つで機能することと、
を行うためのコードを備えている
コンピュータ実行可能なコードを記憶する非一時的なコンピュータ読取可能な媒体。
【請求項１２】
前記イニシエータＮＦＣデバイスにパラメータ選択応答を送信するためのコードをさらに備える請求項１１に記載の非一時的なコンピュータ読取可能な媒体。
【請求項１３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項１１に記載の非一時的なコンピュータ読取可能な媒体。
【請求項１４】
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられる請求項１１に記載の非一時的なコンピュータ読取可能な媒体。
【請求項１５】
前記第１のビットレート値は、イニシエータ送信データレート（ＤＳＩ）値であり、前記第２のビットレート値は、イニシエータ受信データレート（ＤＲＩ）値である請求項１１に記載の非一時的なコンピュータ読取可能な媒体。
【請求項１６】
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断することと、
ここにおいて、前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
パラメータ選択要求メッセージにて前記ターゲットＮＦＣデバイスに、前記第１のビットレート値および前記第２のビットレート値を送信することと、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信することと、
を行うためのコードを備えている
コンピュータ実行可能なコードを記憶する非一時的なコンピュータ読取可能な媒体。
【請求項１７】
前記パラメータ選択要求メッセージの成功した受信を示すパラメータ選択応答を前記ターゲットＮＦＣデバイスから受信するためのコードをさらに備える請求項１６に記載の非一時的なコンピュータ読取可能な媒体。
【請求項１８】
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うためのコードをさらに備える請求項１６に記載の非一時的なコンピュータ読取可能な媒体。
【請求項１９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項１６に記載の非一時的なコンピュータ読取可能な媒体。
【請求項２０】
前記第１のビットレート値は、イニシエータ送信データレート（ＤＳＩ）値であり、前記第２のビットレート値は、イニシエータ受信データレート（ＤＲＩ）値である請求項１６に記載の非一時的なコンピュータ読取可能な媒体。
【請求項２１】
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するための手段と、
前記第１のビットレート値に基づいて、第１のターゲットサブ状態または第２のターゲットサブ状態のうちの１つを選択するための手段と、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、
前記第１のターゲットサブ状態または前記第２のターゲットサブ状態のうちの前記選択された１つで機能するための手段と、
を備える無線通信のための装置。
【請求項２２】
前記イニシエータＮＦＣデバイスにパラメータ選択応答を送信するための手段をさらに備える請求項２１に記載の装置。
【請求項２３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項２１に記載の装置。
【請求項２４】
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられる請求項２１に記載の装置。
【請求項２５】
前記第１のビットレート値は、イニシエータ送信データレート（ＤＳＩ）値であり、前記第２のビットレート値は、イニシエータ受信データレート（ＤＲＩ）値である請求項２１に記載の装置。
【請求項２６】
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断するための手段と、
ここにおいて、前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
パラメータ選択要求メッセージにて前記ターゲットＮＦＣデバイスに、前記第１のビットレート値および前記第２のビットレート値を送信するための手段と、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信するための手段と、
を備える無線通信のための装置。
【請求項２７】
前記パラメータ選択要求メッセージの成功した受信を示すパラメータ選択応答を前記ターゲットＮＦＣデバイスから受信するための手段、
をさらに備える請求項２６に記載の装置。
【請求項２８】
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成するための手段と、
リソリューションプロセスにおける使用のために前記第１および第２の出力パラメータを提供するための手段と、
をさらに備える請求項２６に記載の装置。
【請求項２９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項２６に記載の装置。
【請求項３０】
前記第１のビットレート値は、イニシエータ送信データレート（ＤＳＩ）値であり、前記第２のビットレート値は、イニシエータ受信データレート（ＤＲＩ）値である請求項２６に記載の装置。
【請求項３１】
メモリと、
前記メモリに接続されたプロセッサと、
イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するように構成されたトランシーバと、
前記メモリまたは前記プロセッサの少なくとも一方に結合され、前記第１のビットレート値に基づいて、第１のターゲットサブ状態または第２のターゲットサブ状態のうちの１つを選択することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、
前記第１のターゲットサブ状態または前記第２のターゲットサブ状態のうちの前記選択された１つで機能することと、
を行うように構成されるＮＦＣピアモード通信モジュールと、
を備える、ＮＦＣ通信のための装置。
【請求項３２】
前記トランシーバが、前記イニシエータＮＦＣデバイスにパラメータ選択応答を送信する
ようにさらに構成されている請求項３１に記載のＮＦＣ通信のための装置。
【請求項３３】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項３１に記載のＮＦＣ通信のための装置。
【請求項３４】
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられる請求項３１に記載のＮＦＣ通信のための装置。
【請求項３５】
前記第１のビットレート値は、イニシエータ送信データレート（ＤＳＩ）値であり、前記第２のビットレート値は、イニシエータ受信データレート（ＤＲＩ）値である請求項３１に記載のＮＦＣ通信のための装置。
【請求項３６】
トランシーバと、
メモリと、
前記メモリに結合されたプロセッサと、
前記メモリまたは前記プロセッサの少なくとも一方に結合され、イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを、前記イニシエータＮＦＣデバイスの前に動作可能であったＮＦＣ無線周波数（ＲＦ）テクノロジーに少なくとも部分的に基づいて、判断するように構成され、ここにおいて、前記前に動作可能であったＮＦＣ  ＲＦテクノロジーは、ＮＦＣ−Ａ  ＲＦテクノロジーおよびＮＦＣ−Ｆ  ＲＦテクノロジーのうちの１つである、
ＮＦＣピアモード通信モジュールと、
を備え、
ここにおいて前記トランシーバは、パラメータ選択要求メッセージにて前記ターゲットＮＦＣデバイスに、前記第１のビットレート値および前記第２のビットレート値を送信するように構成され、
前記ターゲットＮＦＣデバイスによって選択された前記ＮＦＣ−Ａ  ＲＦテクノロジーおよび前記ＮＦＣ−Ｆ  ＲＦテクノロジーのうちの１つに応じて、前記第１のビットレート値で、前記イニシエータＮＦＣデバイスから前記ターゲットＮＦＣデバイスへ、通信する、ＮＦＣ通信のための装置。
【請求項３７】
前記トランシーバが、前記パラメータ選択要求メッセージの成功した受信を示すパラメータ選択応答を前記ターゲットＮＦＣデバイスから受信するように構成されている請求項３６に記載のＮＦＣ通信のための装置。
【請求項３８】
前記ＮＦＣピアモード通信モジュールが、
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うようにさらに構成されている請求項３６に記載のＮＦＣ通信のための装置。
【請求項３９】
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含む請求項３６に記載のＮＦＣ通信のための装置。
【請求項４０】
前記第１のビットレート値は、イニシエータ送信データレート（ＤＳＩ）値であり、前記第２のビットレート値は、イニシエータ受信データレート（ＤＲＩ）値である請求項３６に記載のＮＦＣ通信のための装置。
【手続補正２】
【補正対象書類名】明細書
【補正対象項目名】００８８
【補正方法】変更
【補正の内容】
【００８８】
[0096]以上の開示は、例示の態様および／または態様を説明しているが、上述した態様および／または添付の特許請求の範囲によって定められるとおりの態様の範囲から逸脱することなく、種々の変更および改良が可能であることに、留意されよう。さらに、上述の態様および／または態様の構成要素が、単数にて説明または請求項に記載されうるが、単数への限定が明示的に述べられない限り、複数も想定される。さらに、任意の態様および／または態様のすべてまたは一部は、特にそのようでないと述べられない限り、任意の他の態様および／または態様のすべてまたは一部と一緒に利用されうる。
以下に、本願出願の当初の特許請求の範囲に記載された発明を付記する。
［Ｃ１］
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、
前記第１のビットレート値に基づいて、第１のターゲットサブ状態または第２のターゲットサブ状態のいずれかで機能することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、を備える無線通信の方法。
［Ｃ２］
前記イニシエータＮＦＣデバイスにパラメータ選択応答を送信することをさらに備えるＣ１に記載の方法。
［Ｃ３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ１に記載の方法。
［Ｃ４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ１に記載の方法。
［Ｃ５］
前記第１のビットレート値は、イニシエータ送信データレート（ＤＳＩ）値であり、前記第２のビットレート値は、イニシエータ受信データレート（ＤＲＩ）値であるＣ１に記載の方法。
［Ｃ６］
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断することと、
パラメータ選択要求メッセージにて前記ターゲットＮＦＣデバイスに、前記第１のビットレート値および前記第２のビットレート値を送信することと、を備える無線通信の方法。
［Ｃ７］
前記パラメータ選択要求メッセージの成功した受信を示すパラメータ選択応答を前記ターゲットＮＦＣデバイスから受信すること、をさらに備えるＣ６に記載の方法。
［Ｃ８］
前記第１のビットレート値として前記イニシエータＮＦＣデバイスから前記ターゲットＮＦＣデバイスへの送信のための現在のビットレートを示す第１の出力パラメータを生成し、前記第２のビットレート値として前記ターゲットＮＦＣデバイスから前記イニシエータＮＦＣデバイスへの送信のための現在のビットレートを示す第２の出力パラメータを生成することと、
リソリューションプロセスにおける使用のために前記第１および第２の出力パラメータを提供することと、をさらに備えるＣ６に記載の方法。
［Ｃ９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ６に記載の方法。
［Ｃ１０］
前記第１のビットレート値は、イニシエータ送信データレート（ＤＳＩ）値であり、前記第２のビットレート値は、イニシエータ受信データレート（ＤＲＩ）値であるＣ６に記載の方法。
［Ｃ１１］
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信することと、
前記第１のビットレート値に基づいて、第１のターゲットサブ状態または第２のターゲットサブ状態のいずれかで機能することと、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、
を行うためのコードを備えているコンピュータ読取可能な媒体を備えているコンピュータプログラム製品。
［Ｃ１２］
前記イニシエータＮＦＣデバイスにパラメータ選択応答を送信することをさらに備えるＣ１１に記載のコンピュータプログラム製品。
［Ｃ１３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ１１に記載のコンピュータプログラム製品。
［Ｃ１４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ１１に記載のコンピュータプログラム製品。
［Ｃ１５］
前記第１のビットレート値は、イニシエータ送信データレート（ＤＳＩ）値であり、前記第２のビットレート値は、イニシエータ受信データレート（ＤＲＩ）値であるＣ１１に記載のコンピュータプログラム製品。
［Ｃ１６］
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断することと、
パラメータ選択要求メッセージにて前記ターゲットＮＦＣデバイスに、前記第１のビットレート値および前記第２のビットレート値を送信することと、
を行うためのコードを備えているコンピュータ読取可能な媒体を備えているコンピュータプログラム製品。
［Ｃ１７］
前記パラメータ選択要求メッセージの成功した受信を示すパラメータ選択応答を前記ターゲットＮＦＣデバイスから受信すること、をさらに備えるＣ１６に記載のコンピュータプログラム製品。
［Ｃ１８］
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うためのコードをさらに備えるＣ１６に記載のコンピュータプログラム製品。
［Ｃ１９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ１６に記載のコンピュータプログラム製品。
［Ｃ２０］
前記第１のビットレート値は、イニシエータ送信データレート（ＤＳＩ）値であり、前記第２のビットレート値は、イニシエータ受信データレート（ＤＲＩ）値であるＣ１６に記載のコンピュータプログラム製品。
［Ｃ２１］
ターゲット近距離通信（ＮＦＣ）デバイスによって、イニシエータＮＦＣデバイスから前記ターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するための手段と、
前記第１のビットレート値に基づいて、第１のターゲットサブ状態または第２のターゲットサブ状態のいずれかで機能するための手段と、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、を備える無線通信のための装置。
［Ｃ２２］
前記イニシエータＮＦＣデバイスにパラメータ選択応答を送信するための手段をさらに備えるＣ２１に記載の装置。
［Ｃ２３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ２１に記載の装置。
［Ｃ２４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ２１に記載の装置。
［Ｃ２５］
前記第１のビットレート値は、イニシエータ送信データレート（ＤＳＩ）値であり、前記第２のビットレート値は、イニシエータ受信データレート（ＤＲＩ）値であるＣ２１に記載の装置。
［Ｃ２６］
イニシエータＮＦＣデバイスによって、前記イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断するための手段と、
パラメータ選択要求メッセージにて前記ターゲットＮＦＣデバイスに、前記第１のビットレート値および前記第２のビットレート値を送信するための手段と、を備える無線通信のための装置。
［Ｃ２７］
前記パラメータ選択要求メッセージの成功した受信を示すパラメータ選択応答を前記ターゲットＮＦＣデバイスから受信するための手段、をさらに備えるＣ２６に記載の装置。
［Ｃ２８］
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成するための手段と、
リソリューションプロセスにおける使用のために前記第１および第２の出力パラメータを提供するための手段と、をさらに備えるＣ２６に記載の装置。
［Ｃ２９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ２６に記載の装置。
［Ｃ３０］
前記第１のビットレート値は、イニシエータ送信データレート（ＤＳＩ）値であり、前記第２のビットレート値は、イニシエータ受信データレート（ＤＲＩ）値であるＣ２６に記載の装置。
［Ｃ３１］
メモリと、
前記メモリに接続されたプロセッサと、
イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを含むパラメータ選択要求を受信するように構成されたトランシーバと、
前記メモリまたは前記プロセッサの少なくとも一方に結合され、前記第１のビットレート値に基づいて、第１のターゲットサブ状態または第２のターゲットサブ状態のいずれかで機能するように構成され、ここにおいて前記第１のターゲットサブ状態は第１のＮＦＣ無線周波数（ＲＦ）テクノロジーに基づくピア通信に関連付けられ、前記第２のターゲットサブ状態は第２のＮＦＣ  ＲＦテクノロジーに基づくピア通信に関連付けられる、ＮＦＣピアモード通信モジュールと、を備える、ＮＦＣ通信のための装置。
［Ｃ３２］
前記トランシーバが、前記イニシエータＮＦＣデバイスにパラメータ選択応答を送信するようにさらに構成されているＣ３１に記載のＮＦＣ通信のための装置。
［Ｃ３３］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ３１に記載のＮＦＣ通信のための装置。
［Ｃ３４］
前記第１のターゲットサブ状態および前記第２のターゲットサブ状態は各々、ＴＡＲＧＥＴ＿Ａサブ状態またはＴＡＲＧＥＴ＿Ｆサブ状態の中からのサブ状態であり、ここにおいて前記ＴＡＲＧＥＴ＿Ａサブ状態は、ＮＦＣ−Ａ  ＲＦテクノロジーに基づくピア通信に関連付けられ、前記ＴＡＲＧＥＴ＿Ｆサブ状態は、ＮＦＣ−Ｆ  ＲＦテクノロジーに基づくピア通信に関連付けられるＣ３１に記載のＮＦＣ通信のための装置。
［Ｃ３５］
前記第１のビットレート値は、イニシエータ送信データレート（ＤＳＩ）値であり、前記第２のビットレート値は、イニシエータ受信データレート（ＤＲＩ）値であるＣ３１に記載のＮＦＣ通信のための装置。
［Ｃ３６］
トランシーバと、
メモリと、
前記メモリに結合されたプロセッサと、
前記メモリまたは前記プロセッサの少なくとも一方に結合され、イニシエータＮＦＣデバイスからターゲットＮＦＣデバイスへの送信に使用されるべき第１のビットレート値と、前記ターゲットＮＦＣデバイスから前記イニシエータＮＦＣデバイスへの送信に使用されるべき第２のビットレート値とを判断するように構成された、ＮＦＣピアモード通信モジュールと、を備え、
ここにおいて前記トランシーバは、パラメータ選択要求メッセージにて前記ターゲットＮＦＣデバイスに、前記第１のビットレート値および前記第２のビットレート値を送信するように構成されている、ＮＦＣ通信のための装置。
［Ｃ３７］
前記トランシーバが、前記パラメータ選択要求メッセージの成功した受信を示すパラメータ選択応答を前記ターゲットＮＦＣデバイスから受信するように構成されているＣ３６に記載のＮＦＣ通信のための装置。
［Ｃ３８］
前記ＮＦＣピアモード通信モジュールが、
前記第１のビットレート値として前記イニシエータＮＦＣデバイスから前記ターゲットＮＦＣデバイスへの送信のための現在のビットレートを示す第１の出力パラメータと、前記第２のビットレート値として前記ターゲットＮＦＣデバイスから前記イニシエータＮＦＣデバイスへの送信のための現在のビットレートを示す第２の出力パラメータとを生成することと、
リソリューションプロセスにおける使用のために前記第１および第２の出力パラメータを提供することと、
を行うようにさらに構成されているＣ３６に記載のＮＦＣ通信のための装置。
［Ｃ３９］
前記第１のビットレート値および前記第２のビットレート値の各々は、現在の設定のビットレートの維持を示す値、１０６ｋｂｐｓを示す値、２１２ｋｂｐｓを示す値、または４２４ｋｂｐｓを示す値の中からのビットレート値を含むＣ３６に記載のＮＦＣ通信のための装置。
［Ｃ４０］
前記第１のビットレート値は、イニシエータ送信データレート（ＤＳＩ）値であり、前記第２のビットレート値は、イニシエータ受信データレート（ＤＲＩ）値であるＣ３６に記載のＮＦＣ通信のための装置。